(57)【要約】      （修正有）【課題】ディスクトレイが引出位置（オープン位置）にあるときのディスクトレイの揺れ（がたつき）を抑制しつつ、部材の磨耗を最小限に抑える光ディスク装置を提供する。【解決手段】ディスクトレイは、ディスクトレイの裏面側であって、右端部の内側に、リブ３１が形成されている。また、リブ３１は、カムスライダがスイッチに当接しているときに、ローダーシャーシの第２の樹脂ばね部材２３に接触するように、ディスクトレイの後部に形成されている。カムスライダがスイッチに当接しているときに、ディスクトレイが引出位置に近づくにつれて（ディスクトレイの揺れが大きくなるにつれて）、ディスクトレイをローダーシャーシに押し付ける力が強くなるので、ディスクトレイの揺れを効果的に抑制することができる。また、第２の樹脂ばね部材２３とリブ３１とが過度に接触しないので、第２の樹脂ばね部材２３及びリブ３１の磨耗を抑えることができる。【選択図】図４
2013016225.tif 000002
【特許請求の範囲】
【請求項１】
ローダーシャーシに前後進可能に支持されるディスクトレイと、
前記ディスクトレイを、前記ディスクトレイが装置内部に収納される収納位置と、光ディスクを着脱するための引出位置との間で搬送する搬送機構と、
前記ローダーシャーシ内に昇降可能に配置され、光ディスクに対して、情報信号の記録及び／又は再生を行う光ピックアップが搭載されたトラバースシャーシと、
前記トラバースシャーシを、前記光ピックアップが光ディスクに対して記録及び／又は再生を行う記録再生位置と、前記光ピックアップを前記ディスクトレイの搬送領域から退避させる待機位置との間で昇降させる昇降機構と、を備え、
前記ディスクトレイの後部に形成される樹脂ばね部材と、前記ローダーシャーシの前部に形成されるリブとが接触することで、前記ディスクトレイが前記ローダーシャーシに向かって押し付けられることを特徴とする光ディスク装置。
【請求項２】
前記昇降機構は前記搬送機構の駆動に応じてスライドし、
前記ディスクトレイは前記搬送機構の駆動に応じて前後進するものであって、
前記搬送機構は、前記昇降機構がスライドしたときに、前記ローダーシャーシの側壁部の内側であって、前記昇降機構の移動経路上に形成されているスイッチに当接することによって駆動が停止されるものであって、前記スイッチが前記昇降機構を押し返す力による前記ディスクトレイの回動方向と、前記樹脂ばね部材が前記ディスクトレイを前記ローダーシャーシに押し付ける力による前記ディスクトレイの回動方向とは、逆方向であることを特徴とする請求項１に記載の光ディスク装置。
【請求項３】
前記リブは、前記樹脂ばね部材と接触する接触面が前方に向かって傾斜する形状に形成されていることを特徴とする請求項１又は請求項２に記載の光ディスク装置。
【請求項４】
前記ディスクトレイは、前記ディスクトレイの裏面の左右側縁に形成される略凹形状の溝部を、前記ローダーシャーシに形成されるレール部に遊嵌させることによって前後進可能に支持されており、
前記ローダーシャーシはさらに、その前部に、前記溝部に嵌る別の樹脂ばね部材を備え、
前記リブに接触する前記樹脂ばね部材が前記ディスクトレイを前記ローダーシャーシに押し付ける力による前記ディスクトレイの回動方向と、前記溝部に嵌る前記別の樹脂ばね部材が前記ディスクトレイを前記ローダーシャーシに押し付ける力による前記ディスクトレイの回動方向とは同方向であって、
前記樹脂ばね部材と前記別の樹脂ばね部材とが前記ディスクトレイを前記ローダーシャーシに押し付ける力の大きさが、前記スイッチが前記昇降機構を押し返す力の大きさよりも大きいことを特徴とする請求項１〜請求項３のいずれか１項に記載の光ディスク装置。
【発明の詳細な説明】
【技術分野】
【０００１】
本発明は、光ディスクが載置されるディスクトレイを備える光ディスク装置に関するものである。
【背景技術】
【０００２】
光ディスクにデータを記録し、或いは光ディスク装置に記録されたデータを再生するためには光ディスクをターンテーブルに搬送する必要がある。光ディスクをターンテーブルに搬送する方法の一つに光ディスクが載置される載置面を備え、当該載置面に対して平行に移動可能なディスクトレイを用いるものがある。
【０００３】
ディスクトレイを開閉（移動）させる方式としては、ディスクトレイの搬送方向に沿ってラックを設け、ラックに噛合するピニオンの回転駆動を制御することにより、ディスクトレイを移動させる方式がある。ディスクトレイは、ディスクトレイの両側端に設けられたレール溝が、ローダーシャーシに設けられたガイドリブ（レール部）に遊嵌した状態でラックと噛み合ったピニオンが回転駆動することによって開閉方向に移動される。
【０００４】
従来の光ディスク装置において、ディスクトレイが引出位置（光ディスクをディスクトレイから着脱するための位置）に達したときに、ギアの回転を停止させる方法としては、ローダーシャーシを昇降させる昇降機構が備えるカムスライダが、ローダーシャーシの側壁の内側に形成されたスイッチに当接することによって、ディスクトレイが引出位置に達したことを検出し、ギアを駆動するモータを停止させる方法が採用されている。
【０００５】
ところで、ディスクトレイが引出位置にあるときは、ディスクトレイが収納位置（ディスクトレイが装置内部に収納される位置）にあるときに比べて、ディスクトレイの大部分が空間に突き出された状態となっており、ディスクトレイの前端部とディスクトレイの支点との距離が長くなっていることによって、ディスクトレイ自体の揺れが大きくなる。これに加えて、ディスクトレイが引出位置にあるときには、スイッチがカムスライダを押し返す力が発生するので、ディスクトレイの揺れがさらに増大するという問題があった。
【０００６】
特許文献１に記載されているディスクトレイのオープン時位置決め機構は、ディスクトレイがオープン位置にあるときに、ディスクトレイの２箇所を弾圧してオープン時のディスクトレイのがたつきを抑制する弾圧機構を備えている。ディスクトレイのがたつきを抑制する具体的な方法は、フレームが備える第１ばね体が、ディスクトレイの第１弾圧箇所を常時押圧し、また、フレームが備える第２ばね体が、ディスクトレイの第２弾圧箇所を常時押圧することによって行われる。また、第１弾圧箇所と第２弾圧箇所を近づけると共に、第１ばね体による押圧方向と第２ばね体による押圧方向とを逆向きにすることによって、第１ばね体と第２ばね体によって挟み込むようにしてディスクトレイのがたつきを抑制することが開示されている。
【０００７】
特許文献２に記載されている光ディスク装置は、ローダーシャーシの少なくとも左右いずれか片側の側壁の内面に、トレイを反対側の側壁に向かって付勢する付勢手段としての樹脂バネを備えている。これにより、樹脂バネがトレイをローダーシャーシに付勢しているので、トレイの横揺れが抑えられることとしている。
【０００８】
特許文献３に記載されているディスク装置は、ディスクトレイの重心位置よりも後側部位に両持ち構造の板ばねでなる樹脂ばねを備えている。これにより、樹脂ばねはディスクトレイの重心位置がガイドレールの前端の前後の直近位置に到達し、ディスクトレイが前下がり姿勢になったときに、ガイドレールの前端と、樹脂ばねが弾接している防塵カバーとによって少なくとも前後２箇所で支えられて安定した姿勢を維持することが開示されている。
【先行技術文献】
【特許文献】
【０００９】
【特許文献１】特開２００９−９３７３６号公報
【特許文献２】特開２０１１−１８４４１６号公報
【特許文献３】特開２０１１−３２２６号公報
【発明の概要】
【発明が解決しようとする課題】
【００１０】
しかしながら、上記特許文献１〜特許文献３に記載されているように、樹脂ばね（ばね体）が常にディスクトレイを押圧することとすると、樹脂ばねの磨耗が激しくなることが避けられない。特に、ディスクトレイがオープン位置にあるときを基準とし、オープン時のディスクトレイのぐらつきを抑制するように樹脂ばねによって強くディスクトレイを押圧することとすると、ディスクトレイが、比較的ぐらつきの少ないクローズ位置近郊にあるときには、樹脂ばねによる押圧が過度の押圧となり、樹脂ばねとディスクトレイとが強く擦れ合うことになるので、樹脂ばねの磨耗がより一層激しくなってしまう。
【００１１】
本発明は、上述した問題点に鑑み、ディスクトレイが引出位置（オープン位置）にあるときのディスクトレイの揺れ（がたつき）を抑制しつつ、部材の磨耗を最小限に抑える光ディスク装置を提供することを目的とする。
【課題を解決するための手段】
【００１２】
上記目的を達成するために本発明の光ディスク装置は、ローダーシャーシに前後進可能に支持されるディスクトレイと、前記ディスクトレイを、前記ディスクトレイが装置内部に収納される収納位置と、光ディスクを着脱するための引出位置との間で搬送する搬送機構と、前記ローダーシャーシ内に昇降可能に配置され、光ディスクに対して、情報信号の記録及び／又は再生を行う光ピックアップが搭載されたトラバースシャーシと、前記トラバースシャーシを、前記光ピックアップが光ディスクに対して記録及び／又は再生を行う記録再生位置と、前記光ピックアップを前記ディスクトレイの搬送領域から退避させる待機位置との間で昇降させる昇降機構と、を備え、前記ディスクトレイの後部に形成される樹脂ばね部材と、前記ローダーシャーシの前部に形成されるリブとが接触することで、前記ディスクトレイが前記ローダーシャーシに向かって押し付けられることを特徴としている。
【００１３】
この構成によれば、樹脂ばね部材はディスクトレイの後部に形成されており、リブはローダーシャーシの前部に形成されているので、樹脂ばね部材とリブとは、ディスクトレイが引出位置にあるときに接触し、収納位置にあるときには接触しない。これにより、ディスクトレイがより揺れやすい引出位置にあるときに、ディスクトレイがローダーシャーシに向かって押し付けられるので、ディスクトレイの揺れを抑制することができる。また、ディスクトレイが収納位置にあるときには樹脂ばね部材とリブとが接触しない（擦れ合わない）ので、樹脂ばね部材及びリブの磨耗を抑えることができる。
【００１４】
また上記構成の光ディスク装置において、前記昇降機構は前記搬送機構の駆動に応じてスライドし、前記ディスクトレイは前記搬送機構の駆動に応じて前後進するものであって、前記搬送機構は、前記昇降機構がスライドしたときに、前記ローダーシャーシの側壁部の内側であって、前記昇降機構の移動経路上に形成されているスイッチに当接することによって駆動が停止されるものであって、前記スイッチが前記昇降機構を押し返す力による前記ディスクトレイの回動方向と、前記樹脂ばね部材が前記ディスクトレイを前記ローダーシャーシに押し付ける力による前記ディスクトレイの回動方向とは、逆方向であることが望ましい。
【００１５】
この構成によれば、ディスクトレイが引出位置にあるときに、樹脂ばね部材とリブとの接触によりディスクトレイが回動する方向と、搬送機構の駆動を停止させるスイッチが昇降機構を押し返すことによりディスクトレイが回動する方向が同方向となることによって、ディスクトレイが捻られたり、ローダーシャーシによるディスクトレイの支持が外れたりすることを防ぐことができる。
【００１６】
また上記構成の光ディスク装置において、前記リブは、前記樹脂ばね部材と接触する接触面が前方に向かって傾斜する形状に形成されていることが望ましい。
【００１７】
この構成によれば、昇降機構がスイッチを押し始めてから、押し終わるまでの間の、スイッチが昇降機構を押し返す力（反力）に応じて、除々に、樹脂ばね部材とリブとの接触により、ディスクトレイがローダーシャーシに押し付けられる力が強くなる。よって、ディスクトレイの揺れを効果的に抑制することができ、また、樹脂ばね部材とリブとが過度に接触しないので、樹脂ばね部材及びリブの磨耗を抑えることができる。
【００１８】
また上記構成の光ディスク装置において、前記ディスクトレイは、前記ディスクトレイの裏面の左右側縁に形成される略凹形状の溝部を、前記ローダーシャーシに形成されるレール部に遊嵌させることによって前後進可能に支持されており、前記ローダーシャーシはさらに、その前部に、前記溝部に嵌る別の樹脂ばね部材を備え、前記リブに接触する前記樹脂ばね部材が前記ディスクトレイを前記ローダーシャーシに押し付ける力による前記ディスクトレイの回動方向と、前記溝部に嵌る前記別の樹脂ばね部材が前記ディスクトレイを前記ローダーシャーシに押し付ける力による前記ディスクトレイの回動方向とは同方向であって、前記樹脂ばね部材と前記別の樹脂ばね部材とが前記ディスクトレイを前記ローダーシャーシに押し付ける力の大きさが、前記スイッチが前記昇降機構を押し返す力の大きさよりも大きいことが望ましい。
【００１９】
この構成によれば、昇降機構がスイッチに当接するまでは、別の樹脂ばね部材と溝部とが接触することによってディスクトレイの揺れを抑制し、昇降機構がスイッチに当接してからは、別の樹脂ばね部材と溝部との接触及び、樹脂ばね部材とリブとの接触によってディスクトレイの揺れを抑制することができる。また、別の樹脂ばね部材と樹脂ばね部材とが、ディスクトレイをローダーシャーシに押し付ける力の大きさが、スイッチが昇降機構を押し返す力の大きさよりも大きいことにより、スイッチが昇降機構を押し返す力によってディスクトレイが揺れることを防ぐことができる。
【発明の効果】
【００２０】
本発明によれば、樹脂ばね部材はディスクトレイの後部に形成されており、リブはローダーシャーシの前部に形成されているので、樹脂ばね部材とリブとは、ディスクトレイが引出位置にあるときに接触し、収納位置にあるときには接触しない。これにより、ディスクトレイがより揺れやすい引出位置にあるときに、ディスクトレイがローダーシャーシに向かって押し付けられるので、ディスクトレイの揺れを抑制することができる。また、ディスクトレイが収納位置にあるときには樹脂ばね部材とリブとが接触しない（擦れ合わない）ので、樹脂ばね部材及びリブの磨耗を抑えることができる。
【図面の簡単な説明】
【００２１】
【図１】は、本発明の一実施形態に係る光ディスク装置の構造を示す斜視図である。
【図２】は、本発明の一実施形態に係る光ディスク装置が備えるローダーシャーシの構造を示す上面図である。
【図３】は、本発明の一実施形態に係る光ディスク装置が備えるディスクトレイの構造を示す上面図である。
【図４】は、第２の樹脂ばね部材とリブとの接触状態を示す要部拡大図である。
【発明を実施するための形態】
【００２２】
［光ディスク装置］
以下に本発明の光ディスク装置の構造について図面を参照しながら説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００２３】
図１は、本発明の一実施形態に係る光ディスク装置の横造を示す斜視図である。光ディスク装置１は、ＰＳ（ポリスチレン）等の合成樹脂性のローダーシャーシ２とディスクトレイ３とを備えている。
【００２４】
略矩形状のローダーシャーシ２の内部には、トラバースシャーシ４が配置されている。トラバースシャーシ４は、ローダーシャーシ２の後端部にネジ等の取り付け部材によって取り付けられており、後述する昇降機構によって、光ピックアップ８が光ディスクに対して記録及び／又は再生を行う記録再生位置と、光ピックアップ８をディスクトレイ３の搬送領域から退避させる待機位置との間で昇降される。
【００２５】
また、ローダーシャーシ２の前端部内側には、トラバースシャーシ４の昇降機構としてカムスライダ５が、ローダーシャーシ２に対して左右（ディスクトレイ３の搬送方向に略直交する方向）にスライド可能に取り付けられている。カムスライダ５は後述するディスクトレイ３の搬送機構が備えるピニオン１０の駆動に応じてスライドされるものである。
【００２６】
カムスライダ５のスライドに応じてトラバースシャーシ４が昇降されることによって、ディスクトレイ３が光ディスク装置１内部に収納される収納位置にあるときには、光ピックアップ８を記録再生位置に移動させ、ディスクトレイ３が収納位置にないとき（ディスクトレイ３が光ディスクを着脱するための引出位置にあるとき及びディスクトレイ３が搬送されているとき）には、光ピックアップ８を待機位置に移動させる。
【００２７】
トラバースシャーシ４の前端略中央部にはスピンドルモータ６が搭載されており、このスピンドルモータ６の軸にターンテーブル７が固着されている。また、トラバースシャーシ４には、光ピックアップ８が２本のガイド軸９，９（主軸と副軸）に案内されて前後方向に往復可能に搭載されており、ターンテーブル７に対して接近或いは離反させることができる。
【００２８】
ローダーシャーシ２には、光ディスクが載置されるディスクトレイ３が取り付けられている。ローダーシャーシ２の左右両側壁部の内面側には、ディスクトレイ３の搬送方向に沿って、上端部に突出部が形成されている複数のレール部２ａが所定の間隔をあけて形成されており、ディスクトレイ３の裏面の左右側縁には、レール部２ａに対応して略凹形状の溝部３ａが形成されている。そして、ディスクトレイ３の左右に形成されている溝部３ａ，３ａを、ローダーシャーシ２の左右に形成されているレール部２ａ，２ａに摺動自在に遊嵌させることによって、ディスクトレイ３が、ターンテーブル７の上部をローダーシャーシ２に対して前後方向にスライド可能（収納位置と引出位置との間をスライド可能）に取り付けられている。
【００２９】
ディスクトレイ３は、ローダーシャーシ２に前後進可能に支持されて、搬送機構によって搬送されるものである。ディスクトレイ３を収納位置と引出位置との間で搬送する搬送機構として、ローダーシャーシ２はモータ９とピニオン１０とモータ９の動力をピニオン１０に伝達する複数のギアやプーリ等により構成した駆動伝達機構（図１や図２に示すギア１２，１３）とを備え、ディスクトレイ３は下面側（光ディスクが載置されない側の面）にラック１１を備えている。そして、モータ９の動力によってピニオン１０が回転駆動することによって、ピニオン１０と噛合するラック１１を備えるディスクトレイ３が前後方向にスライドされる。
【００３０】
［ローダーシャーシ］
図２は、本発明の光ディスク装置が備えるローダーシャーシの構造を示す上面図である。なお、図２において、図１に示す構造と同じ部分には同じ符号を付してその説明を省略する。
【００３１】
ローダーシャーシ２においてカムスライダ５はディスクトレイ３（図２では図示せず）の搬送方向Ａ（前後方向）に直交する方向Ｂ（左右方向）にスライドする。本実施形態において、カムスライダ５はディスクトレイ３が引出位置に近づくにつれて左方向にスライドする。ローダーシャーシ２の左側壁部の内側であって、カムスライダ５の移動経路上には、スイッチ２１の先端が臨まされており、カムスライダ５の側面とスイッチ２１とが当接可能とされている。
【００３２】
スイッチ２１はディスクトレイ３のスライド位置を検出するスイッチである。従って、カムスライダ５がスイッチ２１に当接すると（カムスライダ５によってスイッチ２１が押されると）、ディスクトレイ３が引出位置に達したことが検出されるので、モータ９の駆動が停止される。モータ９の駆動が停止されると、ピニオン１０の回動が停止するので、ピニオン１０と噛合するラック１１を備えるディスクトレイ３が引出位置で停止する。
【００３３】
また、ローダーシャーシ２の前部には第１の樹脂ばね部材２２と第２の樹脂ばね部材２３とが形成されている。第１の樹脂ばね部材２２は、ディスクトレイ３の右端部に形成されている凹形状の溝部３ａに嵌る位置に形成されている。第１の樹脂ばね部材２２は、ディスクトレイ３の搬送方向Ａに直交する方向B（図２では紙面に向かって右方向）に突出して凸形状に形成されている。従って、溝部３ａに第１の樹脂ばね部材２２が嵌っている状態において、ディスクトレイ３は、右方向に向かって（スイッチ２１が形成されている方向とは反対方向に向かって）ローダーシャーシ２に押し付けられる。
【００３４】
本実施形態において第１の樹脂ばね部材２２は、常に溝部３ａに嵌って、ディスクトレイ３の揺れを抑制させるために、ローダーシャーシ２の前部に形成されている。このとき、ディスクトレイ３がピニオン１０を支点として、第１の樹脂ばね部材２２と溝部３ａとが接触することにより第１の樹脂ばね部材２２がディスクトレイ３をローダーシャーシ２に押し付ける力（以下、「第１の押力」という。）によって回動する方向と、カムスライダ５がスイッチ２１に当接して受ける反力（スイッチ２１がカムスライダ５を押し返す力、以下、「反力」という。）によって回動する方向が逆方向（本実施形態では前者が反時計回りであり、後者が時計回りである。）となるように形成されている。また、第１の押力の大きさが、反力の大きさよりも小さくなるよう形成されている。
【００３５】
このように、第１の押力の大きさを反力の大きさよりも小さくすることによって、カムスライダ５がスイッチ２１に当接していないときに、第１の樹脂ばね部材２２が過度に溝郡３ａと接触することによって（擦れ合うことによって）第１の樹脂ばね部材２２及び溝部３ａの磨耗が激しくなるのを防ぐことができる。
【００３６】
なお、カムスライダ５がスイッチ２１に当接していないときは、スイッチ２１による反力が発生しておらず、また、ディスクトレイ３が収納位置或いは収納位置に近い位置にあるためディスクトレイ３に生ずる揺れが小さい。従って、第１の押力の大きさを反力の大きさよりも小さくしてもディスクトレイ３の揺れを抑制することができる。
【００３７】
一方、カムスライダ５がスイッチ２１に当接しているときは、反力の大きさが第１の押力よりも大きいため、第１の樹脂ばね部材２２のみでは、反力によってディスクトレイ３が回動し、ディスクトレイ３の揺れが発生する。そこで、第２の樹脂ばね部材２３は、カムスライダ５がスイッチ２１に当接しているときに、後述するディスクトレイ３の後部に形成されているリブ３１に接触するように、ローダーシャーシ２の前部に形成されている。
【００３８】
第２の樹脂ばね部材２３は、第１の樹脂ばね部材２２と同様に、ディスクトレイ３の搬送方向Ａに直交する方向Ｂ（図２では紙面に向かって右方向）に突出して凸形状に形成されている。また、ディスクトレイ３がピニオン１０を支点として、第２の樹脂ばね部材２３とリブ３１とが接触することにより第２の樹脂ばね部材２３がディスクトレイ３をローダーシャーシ２に押し付ける力（以下、「第２の押力」という。）によって回動する方向と、第１の押力によって回動する方向が同方向となるように形成されている。また、第１の樹脂ばね部材２２と第２の樹脂ばね部材２３がディスクトレイ３をローダーシャーシ２に押し付ける力の大きさ（第１の押力の大きさと第２の押力の大きさとの和）が、反力の大きさよりも大きくなるよう形成さ
れている。
【００３９】
このように、第１の樹脂ばね部材２２と第２の樹脂ばね部材２３がディスクトレイ３をローダーシャーシ２に押し付ける力の大きさを、反力の大きさよりも大きくすることによって、カムスライダ５がスイッチ２１に当接しているときに、ピニオン１０を支点としてディスクトレイ３が回動することによるディスクトレイ３の揺れを抑制することができる。また、第２の樹脂ばね部材２３は、カムスライダ５がスイッチ２１に当接していないときにおいて、どの部材とも接触をしていないため磨耗を抑えることができる。
【００４０】
なお、本実施形態において、第２の樹脂ばね部材２３を第１の樹脂ばね部材２２近郊に形成しているが、第２の樹脂ばね部材２３の位置はこれに限定されるものではなく、例えばスイッチ２１近郊に形成することとしてもよい。但し、ディスクトレイ３の揺れを効果的に抑制するために、ピニオン１０から所定の間隔をあけて形成されることが望ましい。このように、支点（ピニオン１０の位置）と力点（第２の樹脂ばね部材２３とリブ３１との接触点）の間の距離を長くすることにより、第２の押力の大きさを小さくすることができるので、第２の樹脂ばね部材２３及びリブ３１の磨耗を抑えることができる。
【００４１】
［ディスクトレイ］
図３は、本発明の光ディスク装置が備えるディスクトレイの構造を示す上面図である。なお、図３において、図１に示す構造と同じ部分には同じ符号を付してその説明を省略する。
【００４２】
ディスクトレイ３は、ディスクトレイ３の裏面側であって、右端部の内側に、リブ３１が形成されている。また、リブ３１は、カムスライダ５がスイッチ２１に当接しているときに、ローダーシャーシ２の第２の樹脂ばね部材２３に接触するように、ディスクトレイ３の後部に形成されている。
【００４３】
リブ３１は略コ字状であって、中間部から前部にかけて、次第にディスクトレイ３の右端部に近づくように形成されている。言い換えると、リブ３１において、第２の樹脂ばね部材２３と接触する接触面３１ａが前方に向かって傾斜する形状に形成されている。これにより、第２の樹脂ばね部材２３が接触面３１ａの前部に接触しているときの第１の押力の大きさが、第２の樹脂ばね部材２３が接触面３１ａの中間部に接触しているときの第１の押力の大きさよりも小さくなる。
【００４４】
従って、カムスライダ５がスイッチ２１に当接しているときに、ディスクトレイ３が引出位置に近づくにつれて（ディスクトレイ３の揺れが大きくなるにつれて）、ディスクトレイ３をローダーシャーシ２に押し付ける力が強くなるので、ディスクトレイ３の揺れを効果的に抑制することができる。また、第２の樹脂ばね部材２３とリブ３１とが過度に接触しないので、第２の樹脂ばね部材２３及びリブ３１の磨耗を抑えることができる。
【００４５】
本実施形態において、リブ３１は略コ字状に形成されているが当該形状に限定されるものではなく、カムスライダ５がスイッチ２１に当接しているときに、第２の樹脂ばね部材２３に接触するものであればよく、例えば略山形状としてもよい。
【００４６】
［その他の実施形態］
上記実施形態では、第２の樹脂ばね部材２３とリブ３１とは、カムスライダ５がスイッチ２１に当接しているときに、接触することとしているが、カムスライダ５がスイッチ２１に当接する前から接触することとしてもよく、例えばカムスライダ５がスイッチ２１の方向にスライドを開始する直前やスライドを開始した直後から接触することとしてもよい。
【００４７】
カムスライダ５がスイッチ２１の方向にスライドを開始する時点において、ディスクトレイ３は収納位置と引出位置との中間地点付近にあり、ディスクトレイ３が収納位置にあるときに比べてディスクトレイ３の揺れが大きくなる地点だからである。
【００４８】
第２の樹脂ばね部材２３とリブ３１との接触をどの時点で開始するかは、第２の樹脂ばね部材２３やリブ３１の位置を変えること、リブ３１の形状を変更すること（特にディスクトレイ３の搬送方向の長さを変更すること）によって調整することができる。
【００４９】
図４は、第２の樹脂ばね部材２３とリブ３１との接触状態を示す要部拡大図である。例えば図４が、カムスライダ５がスイッチ２１の方向にスライドを開始する直前における第２の樹脂ばね部材２３とリブ３１との接触状態を示すものとすると、カムスライダ５がスイッチ２１の方向にスライドを開始し、スイッチ２１に近づくにつれて、第２の樹脂ばね部材２３がリブ３１に強く押し当てられる。これに伴って、ディスクトレイ３をローダーシャーシ２に押し付ける力が強くなるので、ディスクトレイ３の揺れを抑制することができる。
【産業上の利用可能性】
【００５０】
本発明は、光ディスクが載置されるディスクトレイを備える光ディスク装置に利用できる。
【符号の説明】
【００５１】
１    光ディスク装置
２    ローダーシャーシ
３    ディスクトレイ
４    トラバースシャーシ
５    カムスライダ
１０  ピニオン
１１  ラック
２１  スイッチ
２２  第１の樹脂ばね部材
２３  第２の樹脂ばね部材
３１  リブ
【図１】
2013016225.tif 000003
【図２】
2013016225.tif 000004
【図３】
2013016225.tif 000005
【図４】
2013016225.tif 000006